(57)【要約】【課題】軒樋の端部で落ち葉除けカバーを簡易な作業で確実に固定することができるようにし、軒樋の端部側方から落ち葉が軒樋内に入り込むことも防止する。【解決手段】軒樋止り６を、軒樋１の端部開口１ａを塞ぐ閉鎖板部６１の一側に端部開口１ａに内嵌合する突部６２を設けて形成し、閉鎖板部６１の上部に、落ち葉除けカバー３の下面を支持するカバー支持体７の取付部６３を一体に設ける。軒樋止り６の上部に設けた取付部６３にカバー支持体７を連結し、カバー支持体７の上面に落ち葉除けカバー３の端部を載せて固定し、カバー端部がばたつくことを防止する。【選択図】図１
2008214995.tif 000002
【特許請求の範囲】
【請求項１】
軒樋の端部開口を塞ぐ閉鎖板部の一側に前記端部開口に内嵌合する突部を設けてなる軒樋止りであって、
前記閉鎖板部の上部に、落ち葉除けカバーの下面を支持するカバー支持体の取付部を設けたことを特徴とする軒樋止り。
【請求項２】
カバー支持体は、軒樋とその上方に支持された落ち葉除けカバーの間隙を閉鎖し得る大きさの端板の一側に、落ち葉除けカバーを載せて支持する支持片を突設し、端板の下部には軒樋止りの取付部に連結する脚部を突設した形状を有することを特徴とする請求項１に記載の軒樋止り。
【発明の詳細な説明】
【技術分野】
【０００１】
本発明は、軒樋の端部に一体に取り付けて端部開口を塞ぐ軒樋止りに関する。
【背景技術】
【０００２】
軒樋に落ち葉やゴミが入り込み、軒樋内部で堆積して雨水が流れ落ちなくなることを防止するため、軒樋の上方に落ち葉除けカバーを取り付けることがある。
この落ち葉除けカバーを軒樋の上方で支持し固定しておく構造として、例えば図５（Ａ）に示されるように、軒樋１００を支持する樋吊り具１０１の上面に落ち葉除けカバー１０２の支持体１０３を一体に突設しておき、この支持体１０３に落ち葉除けカバー１０２の下面両側を係合させて固定するものや、同図（Ｂ）に示されるように、落ち葉除けカバー１０２の下面に装着した支持部材１０４を樋吊り具１０１の上面に一体に固着して固定するものが知られている（例えば特許文献１、２参照）。
【０００３】
【特許文献１】特開２００６−１４４２６２号公報
【特許文献２】実開昭６２−１９００３３号公報
【発明の開示】
【発明が解決しようとする課題】
【０００４】
前記図示した形態のものでは、樋吊り具１０１で落ち葉除けカバー１０２を軒樋１００の上方に支持させることができるものの、樋吊り具１０１は軒に沿って数十センチ程度の間隔で取り付けられるため、軒樋１００の端部においてその上方の落ち葉除けカバー１０２の端部を固定することはできず、そのままだと強風を受けたときにカバー端部が振動してばたつくことがある。そのため、落ち葉除けカバー１０２の端部を軒樋１００などに針金などで固定する処置が必要であった。
また、家屋のすぐ傍らに木がある場合は、軒樋１００の端部と落ち葉除けカバー１０２の端部の間の隙間から落ち葉が軒樋１００の中に入り込み易く、この隙間を塞ぐためのカバー材を落ち葉除けカバー１０２とは別に取り付ける必要があった。
軒樋１００の端部における作業は、作業用の足場が組まれていたとしても、高所の不安定な場所で行われることに変わりはなく、作業者の安全上、手間をかけずに短時間うちに行われることが望ましい。
【０００５】
本発明は従来技術の有するこのような問題点に鑑み、軒樋の端部で落ち葉除けカバーを簡易な作業で確実に固定することができ、また、軒樋の端部側方から軒樋内に落ち葉などが入り込むことも防止することができるようにすることを課題とする。
【課題を解決するための手段】
【０００６】
前記課題を解決するため本発明の軒樋止りは、軒樋の端部開口を塞ぐ閉鎖板部の一側に前記端部開口に内嵌合する突部を設けてなり、閉鎖板部の上部に、落ち葉除けカバーの下面を支持するカバー支持体の取付部を設けたことを特徴としている。
前記カバー支持体は、軒樋とその上方に支持された落ち葉除けカバーの間隙を閉鎖し得る大きさの端板の一側に、落ち葉除けカバーを載せて支持する支持片を突設し、端板の下部には軒樋止りの取付部に連結する脚部を突設した形状に設けることができる。
【０００７】
これによれば、軒樋止りの上部に設けた取付部にカバー支持体を連結し、このカバー支持体の上面に落ち葉除けカバーを載せて支持し固定することにより、落ち葉除けカバーの端部は軒樋止りと一体に固定され、強風を受けてもカバー端部がばたつくことはない。カバー端部を固定するために針金などで固定する作業は不要であり、軒樋端部の施工が手間をかけずに短時間で行える。
また、カバー支持体が、軒樋とその上方に支持された落ち葉除けカバーの間隙を閉鎖する大きさの端板を有するものであれば、この端板で軒樋端部と落ち葉除けカバーの端部の間の隙間は塞がれ、軒樋の端部側方から軒樋内に落ち葉などが入り込むことを確実に防止することができる。
【発明を実施するための最良の形態】
【０００８】
本発明の好適な一実施形態を図面を参照して説明する。
図１は軒先に取り付けられる、本発明の軒樋止りを構成部材として含む軒樋構成体の一例の外観図、図２は軒樋止りとカバー支持体の斜視図、図３は図１の軒樋構成体を軒先に取り付けた状態の軒先の概略断面図、図４は軒樋止りを軒樋端部に取り付けた状態の軒樋端部における概略断面図である。
【０００９】
図１に示されるように、この軒樋構成体は、軒樋１、樋吊り具２、落ち葉除けカバー３、カバー支持体４、ビスなどの留め具５、軒樋止り６及びカバー支持体７の各部材により構成されている。
【００１０】
軒樋１は、例えば表面を塩化ビニル樹脂で覆うなどの耐蝕加工が施された、或いは耐蝕性を有する材質のものからなる長尺の鋼板を、板金加工により長手方向に沿って屈曲させて、底面部１１の両側に前面部１２と後面部１３を立ち上げた略Ｕ字断面形状に形成してある。前面部１２は底面部１１から斜め前方へ立ち上がっており、その上端に鋭角に内側へ折り返した前耳部１２ａを設け、また、後面部１３の上端には後方へ張り出してコ字状に屈曲した後耳部１３ａを設けてある。
【００１１】
樋吊り具２は、図１に示されるように、基部２１ａの前面に軒樋１の前面部１２の前耳部１２ａが係合する前側支持片２１ｂと後面部１３の後耳部１３ａが係合する後側支持片２１ｃを一体に突出させてなる吊り具本体２１と、前記基部２１ａが嵌合する枠部２２ａを前面に有する取付板２２からなり、後述する鼻隠し板９に取付板２２を取り付け、その前面の枠部２２ａに吊り具本体２１の基部２１ａを嵌着させて、鼻隠し板９に固定されるように構成してある。また、吊り具本体２１の上面には、後述するカバー支持体４の脚部４１が嵌合する、上下に連通した筒状の支持部２３を一体に設けてある。
【００１２】
落ち葉除けカバー３は、図１に示されるように、表面に通水孔３１を所定間隔で多数列設してなる適宜な長さの長尺板材であり、軒樋１の上面開口を覆い得る幅を有する本体部３２の前端に、本体部３２に対して傾斜した取付面部３３を一体に設けて形成してある。取付面部３３は、その下部が軒樋１の前耳部１２ａの上面に接合する形状に形成されており、その上部には後方へ凹形状に屈曲した堤壁部３４を設けてある。
【００１３】
カバー支持体４は、樋吊り具２の吊り具本体２１上に形成された支持部２３に嵌入して固定される鋲形の脚部４１の上端に、脚部４１に対して斜めに傾いていて表面に留め具５の下端が嵌入する長孔４２ａが形成された方形状の支持片４２を一体に設けて形成してある。
【００１４】
軒樋止り６は、図１及び図２に示されるように、軒樋１の端部開口１ａを塞ぐ閉鎖板部６１の一側に、軒樋１の端部開口１ａに内嵌合する突部６２を一体に設けて形成してある。
より詳しくは、閉鎖板部６１は、これを軒樋１の端部開口１ａにあてがったときに当該端部開口が閉塞するように、その下部と前後の周縁が軒樋１の断面形状に沿い、上部が軒樋１の前後耳部１２ａ、１３ａの上端同士を結ぶ線分上に沿った外形状に形成してある。
また、突部６２は、閉鎖板部６１の一側から適宜な幅で帯状に突出した部分であって、軒樋１の端部開口１ａに内嵌合するように、軒樋１の底面部１１と前後面部１２、１３の内周面に沿わせ、且つ両端上部に前後耳部１２ａ、１３ａに係合する係合部６２ａ、６２ｂを設けて形成してある。
また、閉鎖板部６１の上部には、後述するカバー支持体７の脚部７３、７３が嵌合するカバー支持体７の取付部６３、６３を一体に設けてある。
そして、軒樋止り６は、軒樋１の端部開口１ａ内に突部６２を嵌め込み、係合部６２ａ、６２ｂを軒樋１の前後耳部１２ａ、１３ａに係合させることによって軒樋１の端部に嵌着し、当該端部に当接する閉鎖板部６１により軒樋１の端部開口１ａを隙間無く塞ぐように設けてある（図４参照）。
【００１５】
カバー支持体７は、図１及び図２に示されるように、略三角形の端板７１の側面に落ち葉除けカバー３の端部が載る支持片７２を突設するとともに、端板７１の下部に脚部７３、７３を突設した形状に設けてある。
より詳しくは、端板７１は、軒樋１の端部とその上方に支持される落ち葉除けカバー３の端部間の隙間を閉鎖し得る大きさに設けられており、軒樋止り６の閉鎖板部６１の取付部６３、６３に脚部７３、７３を嵌合させることにより閉鎖板部６１の上部に連結固定され、この状態で端板７１は閉鎖板部６１の上端に連なって鉛直な壁面を形成し、この壁面で軒樋１と落ち葉除けカバー３の端部間の隙間を塞ぐようになっている。
また、支持片７２は、前記カバー支持体４の支持片４２と同じ方形状に形成されており、その面内に留め具５の下端が嵌入する長孔７２ａを設けてある。そして、軒樋１の端部に取り付けられた軒樋止り６の閉鎖板部６１に端板７１を連結固した状態で、支持片７２は、樋吊り具２の支持部２３に固定されたカバー支持体４の支持片４２と同じ高さ及び傾斜角度となって軒樋１の端部上方に配されるように設けてある。
【００１６】
これらの部材からなる軒樋構成体の施工は、図３に示されるように、鼻隠し８に取り付けた鼻隠し板９に樋吊り具２の取付板２２と吊り具本体２１を順次取り付けて、鼻隠し板９に沿って複数の樋吊り具２を適宜な間隔を開けて固定し、次いで固定された樋吊り具２、２間に軒樋１を架け渡し、軒樋１の前耳部１２ａと後耳部１３ａをそれぞれ樋吊り具２の前側支持片２１ｂと後側支持片２１ｃとに係合させて樋吊り具２に軒樋１を支持させる。
樋吊り具２で支持された軒樋１の端部は、予め軒樋止り６の突部６２の周面又は軒樋１の端部内周面に接着剤を塗布してから、軒樋１の端部に突部６２を嵌め入れて接着一体化させ、軒樋止り６を一体に固定する。軒樋１の端部に軒樋止り６を固定することで、軒樋１の端部開口１ａは閉鎖板部６１で閉鎖される。
【００１７】
鼻隠し板９に沿って軒樋１を取り付けたならば、その上方に落ち葉よけカバー３を取り付ける。落ち葉除けカバー３の取り付けは、各樋吊り具２の支持部２３に、支持片４２が軒先側へ下り傾斜するように向けて脚部４１を嵌合させてカバー支持体４を取り付け、支持片４２の上面に落ち葉除けカバー３を載せ、落ち葉除けカバー３の通水孔３１と支持片４２の長孔４２ａに留め具５を係入させて留め付け、支持片４２に落ち葉除けカバー３を一体に固定することにより行われる。
また、軒樋１の端部においては、軒樋止り６の閉鎖板部６１の取付部６３、６３に脚部７３、７３を嵌合させてカバー支持体７を閉鎖板部６１の上部に連結固定し、カバー支持体７の端板７１から側方に突出した支持片７２の上面に落ち葉除けカバー３の端部を載せ、当該カバー端部の通水孔３１と支持片７２の長孔７２ａに留め具５を係入させて留め付け、支持片７２に落ち葉除けカバー３の端部を一体に固定する。
【００１８】
このように軒先に取り付けられた軒樋構成体は、図３に示されるように、樋吊り具２の上部に取り付けられたカバー支持体４で落ち葉除けカバー３が軒樋１の上方で支持され、屋根から流れ落ちる雨水は落ち葉除けカバー３の通水孔３１から軒樋１内へと流れ落とし、また、落ち葉類はカバー上面で遮って軒樋１内に入り込むことを防止することができる。しかも、落ち葉除けカバー３の前端上部には雨水の流れを遮る堤壁部３４を設けてあるので、落ち葉除けカバー３の上面を流れ落ちる雨水が軒樋１の前面を飛び越えて軒下に落下することもない。
軒樋１の端部にあっては、図４に示されるように、軒樋止り６で端部開口１ａが閉鎖されるとともに、その上部に連結固定されたカバー支持体７の支持片７２に落ち葉除けカバー３の端部が留め具５で留め付けられて固定されるので、強風を受けても落ち葉除けカバー３の端部がばたつくことはない。さらに、軒樋止り６にカバー支持体７が連結固定された状態で、軒樋止り６の閉鎖板部６１とカバー支持体７の端板７１が一体に連なった鉛直な壁面を形成し、この壁面で軒樋１と落ち葉除けカバー３の端部間の隙間が塞がれるので、軒樋１の端部側方からも落ち葉類が入り込むことはない。
【００１９】
このように、本発明の軒樋止りによれば、その上部に落ち葉除けカバーを支持するカバー支持体の取付部を設けてあるので、軒樋の端部においてその上方に位置する落ち葉除けカバーの端部をカバー支持体で支持し、簡易な作業で固定して、落ち葉除けカバーの端部がばたつくことを防止することが可能である。
なお、図示した軒樋止り及びこれを含む軒樋構成体の形態は一例であり、本発明はこれに限定されず、軒樋や落ち葉除けカバーの形状などに応じて適宜な形状で構成することが可能である。
【図面の簡単な説明】
【００２０】
【図１】本発明の軒樋止りを構成部材として含む軒樋構成体の一例の外観図である。
【図２】図１に示した軒樋止りとカバー支持体の斜視図である。
【図３】図１の軒樋構成体を軒先に取り付けた状態の軒先の概略断面図である。
【図４】軒樋止りを軒樋端部に取り付けた状態の軒樋端部における概略断面図である。
【図５】（Ａ）は従来例における軒樋上方に落ち葉除けカバーを取り付けた状態の軒先の概略断面図、（Ｂ）同概略斜視図である。
【符号の説明】
【００２１】
１  軒樋、１１  底面部、１２  前面部、１３  後面部、２  樋吊り具、２１  吊り具本体、２２  取付板、３  落ち葉除けカバー、３１  通水孔、４  カバー支持体、４１  脚部、４２  支持片、５  留め具、６  軒樋止り、６１  閉鎖板部、６２  突部、６３  取付部、７  カバー支持体、７１  端板、７２  支持片、７３  脚部、８  鼻隠し、９  鼻隠し板
【図１】
2008214995.tif 000003
【図２】
2008214995.tif 000004
【図３】
2008214995.tif 000005
【図４】
2008214995.tif 000006
【図５】
2008214995.tif 000007